【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
移動体に設置されたナビゲーション装置に情報を送信するアプリケーションである送信アプリと、当該送信アプリが送信する情報であり、前記ナビゲーション装置がナビゲーションに利用する１または２種類以上の送信情報とが格納される格納部と、
前記ナビゲーション装置との位置関係が、前記送信アプリを実行することに関する実行条件を満たすか否かを判断する実行判断部と、
前記実行判断部が、前記位置関係が前記実行条件を満たすと判断した場合に、前記送信アプリを実行するアプリ実行部と、
前記送信アプリを実行しているアプリ実行部からの指示により、当該指示により特定される前記送信情報を、前記ナビゲーション装置に送信する送信部とを備える携帯端末。
【請求項２】
前記送信アプリが送信する送信情報が、前記格納部に格納されているか否かを判断する送信情報有無判断部をさらに備え、
前記アプリ実行部は、前記実行判断部が、前記位置関係が前記実行条件を満たすと判断し、かつ、前記送信情報有無判断部が、前記送信情報が前記格納部に格納されていると判断した場合に、前記送信アプリを実行する請求項１記載の携帯端末。
【請求項３】
前記送信情報は、目的地を示す目的地情報、地図情報の一部の更新に用いられる地図更新情報、駐車場を示す駐車場情報である請求項１または請求項２記載の携帯端末。
【請求項４】
地図に関する地図情報が格納されるナビ地図情報格納部と、
地点を示す２つの地点情報を、携帯端末から受信するナビ受信部と、
現在位置を示す現在位置情報を取得するナビ現在位置情報取得部と、
前記地図情報と、前記現在位置情報と、前記２つの地点情報のうちの一方の地点情報とを用いて、当該現在位置情報が示す現在位置から、当該地点情報が示す地点までの経路を探索し、当該経路を示す経路情報を取得する、および、前記地図情報と、前記２つの地点情報のうちの他方の地点情報とを用いて、当該地点情報が示す地点を含む地図を示す地図情報を、前記ナビ地図情報格納部から取得するナビ処理部と、
前記ナビ処理部が取得した情報を出力するナビ出力部とを備えるナビゲーション装置。
【請求項５】
移動体に設置されたナビゲーション装置に情報を送信するアプリケーションである送信アプリと、当該送信アプリが送信する情報であり、前記ナビゲーション装置がナビゲーションに利用する１または２種類以上の送信情報とが格納される格納部と、実行判断部と、アプリ実行部と、送信部とを用いて行われる情報送信方法であって、
前記実行判断部が、前記ナビゲーション装置との位置関係が、前記送信アプリを実行することに関する実行条件を満たすか否かを判断する実行判断ステップと、
前記位置関係が前記実行条件を満たすと前記実行判断部が判断した場合に、前記アプリ実行部が前記送信アプリを実行するアプリ実行ステップと、
前記送信部が、前記送信アプリを実行しているアプリ実行部からの指示により、当該指示により特定される前記送信情報を、前記ナビゲーション装置に送信する送信ステップとを備える情報送信方法。
【請求項６】
地図に関する地図情報が格納されるナビ地図情報格納部と、ナビ受信部と、ナビ現在位置情報取得部と、ナビ処理部と、ナビ出力部とを用いて行われるナビゲーション方法であって、
前記ナビ受信部が、地点を示す２つの地点情報を、携帯端末から受信するナビ受信ステップと、
前記ナビ現在位置情報取得部が、現在位置を示す現在位置情報を取得するナビ現在位置情報取得ステップと、
前記ナビ処理部が、前記地図情報と、前記現在位置情報と、前記２つの地点情報のうちの一方の地点情報とを用いて、当該現在位置情報が示す現在位置から、当該地点情報が示す地点までの経路を探索し、当該経路を示す経路情報を取得する、および、前記地図情報と、前記２つの地点情報のうちの他方の地点情報とを用いて、当該地点情報が示す地点を含む地図を示す地図情報を、前記ナビ地図情報格納部から取得するナビ処理ステップと、
前記ナビ出力部が、前記ナビ処理部が取得した情報を出力するナビ出力ステップとを備えるナビゲーション方法。
【請求項７】
移動体に設置されたナビゲーション装置に情報を送信するアプリケーションである送信アプリと、当該送信アプリが送信する情報であり、前記ナビゲーション装置がナビゲーションに利用する１または２種類以上の送信情報とが格納される格納部にアクセス可能なコンピュータを、
前記ナビゲーション装置との位置関係が、前記送信アプリを実行することに関する実行条件を満たすか否かを判断する実行判断部、
前記実行判断部が、前記位置関係が前記実行条件を満たすと判断した場合に、前記送信アプリを実行するアプリ実行部、
前記送信アプリを実行しているアプリ実行部からの指示により、当該指示により特定される前記送信情報を、前記ナビゲーション装置に送信する送信部として機能させるためのプログラム。
【請求項８】
地図に関する地図情報が格納されるナビ地図情報格納部にアクセス可能なコンピュータを、
地点を示す２つの地点情報を、携帯端末から受信するナビ受信部、
現在位置を示す現在位置情報を取得するナビ現在位置情報取得部、
前記地図情報と、前記現在位置情報と、前記２つの地点情報のうちの一方の地点情報とを用いて、当該現在位置情報が示す現在位置から、当該地点情報が示す地点までの経路を探索し、当該経路を示す経路情報を取得する、および、前記地図情報と、前記２つの地点情報のうちの他方の地点情報とを用いて、当該地点情報が示す地点を含む地図を示す地図情報を、前記ナビ地図情報格納部から取得するナビ処理部、
前記ナビ処理部が取得した情報を出力するナビ出力部として機能させるためのプログラム。
【手続補正２】
【補正対象書類名】明細書
【補正対象項目名】発明の名称
【補正方法】変更
【補正の内容】
【発明の名称】携帯端末、ナビゲーション装置、情報送信方法、ナビゲーション方法、およびプログラム
【手続補正３】
【補正対象書類名】明細書
【補正対象項目名】００８３
【補正方法】変更
【補正の内容】
【００８３】
また、例えば、ナビ処理部１２４が出力地図情報を取得した場合、ナビ出力部１２５は、当該出力地図情報を出力する。このとき、ナビ出力部１２５は、例えば、当該出力地図情報の取得に用いた地点情報が示す地点が、当該出力地図情報が示す地図上に表示されるように、当該出力地図情報を出力する。例えば、ナビ出力部１２５は、当該地図上の、当該地点に対応する位置に、アイコンを出力する。
【手続補正４】
【補正対象書類名】明細書
【補正対象項目名】０１５０
【補正方法】変更
【補正の内容】
【０１５０】
以上、本実施の形態による情報システム１によれば、ナビゲーション装置１２との位置関係が予め決められた条件を満たした場合に、ナビゲーション装置１２に情報を送信するアプリケーションを自動的に動作させることができる。これにより、例えば、ユーザが、携帯端末１１に予め保存しておいた情報を、ナビゲーション装置１２に転送するような場合において、携帯端末１１を操作することなく、自動的に、当該情報をナビゲーション装置１２に転送することができる。また、この結果、ユーザは、余計な操作等をすることなく、通常の運転準備を行っている間に、携帯端末１１に予め保存しておいた情報を、ナビゲーション装置１２に転送することができる。
【手続補正５】
【補正対象書類名】明細書
【補正対象項目名】０１５５
【補正方法】変更
【補正の内容】
【０１５５】
また、上記各実施の形態における携帯端末を実現するソフトウェアは、例えば、以下のようなプログラムである。つまり、このプログラムは、移動体に設置されたナビゲーション装置１２に情報を送信するアプリケーションである１以上の送信アプリと、当該送信アプリが送信する情報である１以上の送信情報とが格納される格納部１１１にアクセス可能なコンピュータを、ナビゲーション装置１２との位置関係が、前記送信アプリを実行することに関する条件である実行条件を満たすか否かを判断する実行判断部１１２、実行判断部１１２が、前記位置関係が前記実行条件を満たすと判断した場合に、前記送信アプリを実行するアプリ実行部１１４、前記送信アプリを実行しているアプリ実行部１１４からの指示により、当該指示により特定される前記送信情報を、ナビゲーション装置１２に送信する送信部１１５として機能させるためのプログラムである。